(57)【特許請求の範囲】
【請求項１】
気化燃料を噴出するバーナーヘッド部を備えるバーナー本体と、このバーナー本体を保持するとともに、加熱対象の容器を載置できる構成の複数の脚部と、弾性部材と、を少なくとも備える燃焼器具であって、
前記脚部を前記バーナー本体回りに回動させることによって、前記脚部が所定箇所に収束され、
前記バーナー本体にはその下方部分において上下方向に貫通する取り付け孔が形成されており、
前記取り付け孔には半径方向外側に延びる溝部が形成されており、
前記脚部は、上下方向に延び、前記取り付け孔に嵌合可能な第一部分と、前記第一部分の下端と連結し、水平方向に延びる第二部分と、前記第二部分の先端から前記バーナーヘッド部を越えて上方に延びる第三部分と、前記第三部分の上端から内側に延び、前記容器が載置される第四部分と、からなり、
前記第一部分には前記溝部に嵌合する凸耳部が形成されており、
前記脚部は、前記凸耳部が前記溝部に嵌合しているときは回動不能であり、前記凸耳部が前記溝部から外れているときは回動可能であり、
前記第一部分は前記弾性部材を介して上方に付勢された状態において前記取り付け孔に嵌合されている燃焼器具。
【請求項２】
前記脚部は、前記バーナー本体側方に突設された気化燃料量調整レバーの周辺位置に収束可能とされたことを特徴とする請求項１に記載の燃焼器具。
【発明の詳細な説明】
【０００１】
【発明の属する技術分野】
本発明は、燃焼器具の脚部の改良技術に関する。より詳細には、アウトドアスポーツ等で使用される燃焼器具の脚部を収束させてコンパクトにし、収納し易くする技術に関する。
【０００２】
【従来の技術】
従来、アウトドアでのキャンプなどで使用されるガソリンストーブ等と称される燃焼器具は、気化燃料を噴出するバーナーヘッド部を備えるバーナー本体を持ち上げるようにして保持する脚部を複数備えている。
【０００３】
この脚部は、一般に金属製の棒材を所定形状に折り曲げて形成することによって、燃焼器具を地面に安定して据え置きできるとともに、該脚部の上端部には、加熱対象のクッカー等の容器を載置できる形態に工夫されている。このため、各脚部は、バーナー本体から側方側に大きくせり出すように設けられることになる。
【０００４】
【発明が解決しようとする課題】
しかしながら、上記従来の燃焼器具では、次の技術的課題があった。
【０００５】
従来の燃焼器具は、脚部がバーナー本体から側方側にせり出した形態を備えているため、収納の際に脚部が邪魔になり、ザックやバッグの中に収容し難く、持ち運びにも不便であった。
【０００６】
特に、アウトドアスポーツを行う場合は、様々な用具をコンパクトに収納して持ち運びする必要があることから、嵩張ってしまう燃焼器具のコンパクト化機能に対する技術的要請が高まっていた。
【０００７】
そこで、本発明の目的は、地面に安定的に据え置きでき、かつ容器を載置できるという脚部本来の機能を損なわずに、収納性を向上させることができる燃焼器具を提供することにある。
【０００８】
【課題を解決するための手段】
上記の目的を達成するため、本発明は、気化燃料を噴出するバーナーヘッド部を備えるバーナー本体と、このバーナー本体を保持するとともに、加熱対象の容器を載置できる構成の複数の脚部と、弾性部材と、を少なくとも備える燃焼器具であって、前記脚部を前記バーナー本体回りに回動させることによって、前記脚部が所定箇所に収束され、前記バーナー本体にはその下方部分において上下方向に貫通する取り付け孔が形成されており、前記取り付け孔には半径方向外側に延びる溝部が形成されており、前記脚部は、上下方向に延び、前記取り付け孔に嵌合可能な第一部分と、前記第一部分の下端と連結し、水平方向に延びる第二部分と、前記第二部分の先端から前記バーナーヘッド部を越えて上方に延びる第三部分と、前記第三部分の上端から内側に延び、前記容器が載置される第四部分と、からなり、前記第一部分には前記溝部に嵌合する凸耳部が形成されており、前記脚部は、前記凸耳部が前記溝部に嵌合しているときは回動不能であり、前記凸耳部が前記溝部から外れているときは回動可能であり、前記第一部分は前記弾性部材を介して上方に付勢された状態において前記取り付け孔に嵌合されている燃焼器具を提供する。
【００１０】
この手段では、バーナー本体から側方にせり出している脚部を所定箇所に収束できるので、燃焼器具全体がコンパクトになる。このため、燃焼器具をザックやバッグの中に収納し易くなるので、アウトドアースポーツ用具として好適なものととなる。
【００１１】
次に、本発明に係る燃焼器具の脚部は、前記バーナー本体側方に突設された気化燃料量調整レバーの周辺位置に収束可能とできるように構成する。
【００１２】
この手段では、一般に、バーナー本体から側方側に突き出ている気化燃料量調整レバーの取り付け位置と脚部の収束位置とを別々の位置とはせず、両位置を一致させる。即ち、バーナー本体から突設された部材である脚部と気化燃料量調整レバーをまとめることによって、燃焼器具はよりコンパクトな収納形態となる。
【００１３】
ここで、クッカーや鍋等の加熱容器を載置する機能を備える脚部が常に回動できる状態とされた構成では、調理中に脚部の位置が動いて、湯や調理物がこぼれてしまい、場合によっては火傷を負うおそれもある。
【００１４】
このため、本発明に係る燃焼器具の脚部を、バーナー本体を保持する場合の回動不能状態と、該脚部を収束させる場合の回動可能状態と、を自在に選択できるように工夫する。具体的には、脚部を回動できない固定された安定な状態を選択することによって、バーナー本体を地面等に確実に保持できるようにする。一方、燃焼器具を収納する場合には、脚部を回動可能状態となるように構成する。
【００１５】
例えば、脚部の基軸部を、前記バーナー本体に、弾性部材を介して上方側に付勢させた状態で取り付けて脚部を固定し、この基軸部を下方側に押し込んだり、引き下げたりしてスライドさせたときには、脚部が前記回動可能状態となるように構成する。
【００１６】
このとき、前記回動可能状態を維持するために、脚部の基軸部に付勢防止ストッパーを設けることによって、脚部を円滑に回動させて所定位置に収束させることができるようになる。
【００１７】
以上のように、本発明は、燃焼器具に備わる脚部に対して、収納に適した収束機能を付加するという技術的意義を有している。
【００１８】
【発明の実施の形態】
以下、本発明の好適な実施形態について、添付図面を参照しながら説明する。
【００１９】
図１は、本発明に係る燃焼器具の使用状態を示す全体斜視図、図２は、同燃焼器具の側面図、図３は、同燃焼器具を上方から見た時の平面図、である。これら図１〜図３に基づいて、本発明に係る燃焼器具の全体構成及び使用態様について説明する。
【００２０】
図１等に表されている符号１は、本発明に係る燃焼器具を示している。この燃焼器具１は、主にアウトドアでのキャンプ等の際に使用される。符号８で示されるフューエルボトル（燃料容器）に収容されたガソリン等の燃料は、該フューエルボトル８に着脱自在に連結されたホース７を介して、バーナー本体２に送り込まれ、該バーナー本体２上部に設けられたバーナーヘッド部３から気化状態で噴出し、数秒程度のプレヒート作業により青火燃焼する。
【００２１】
火力調整は、バーナー本体２の側方へ突設された気化燃料量調整レバー５（以下、単に「レバー５」と称する。）を回動することによって、ホース７に連通する燃料送通管６の開口量を調節することによって行う。
【００２２】
ここで、バーナー本体２には、所定形態の棒状体からなる計四本の脚部４，４，４，４が、上方視放射状（図３参照）に取り付けられている。具体的には、脚部４，４，４，４は、それぞれがバーナー本体２の下方側部分に、その各基軸部４０３が取り付けられている。
【００２３】
各基軸部４０３はそのまま下方へ垂下し、その後斜め下方の側方側に延びて、最下端部においては平坦な据え置き部４０１を形成する。続いて、前記据え置き部４０１から上方に立ち上がり、所定高さ位置に達すると、中央のバーナーヘッド部３に向けてやや下方に傾斜して延び、載置部４０２をそれぞれ形成している。
なお、図３中符号４０２ａで示された凹部は、容器の滑り止めである。
【００２４】
図２に示すように、載置部４０２，４０２，４０２，４０２には、クッカー等と称される加熱容器Ｃが載せられ、該加熱容器Ｃの底面に下方に配置されたバーナーヘッド部３から立ち上がる炎（図示せず）があたって、加熱容器Ｃに収容された水や材料を加熱する。
【００２５】
以下、図４から図６に基づいて、脚部４の基本構成について説明する。
【００２６】
図４（Ａ）は、燃焼器具１に設けられた脚部４の回動不能状態のときの構成を示す図、図４（Ｂ）は、同脚部４の回動可能状態の構成を示す図、図５（Ａ）は、係止されて回動不能状態とされた脚部４の部分拡大図、図５（Ｂ）は、取り付け孔１０の上方から見た脚部４の部分断面図、図６は、回動可能状態とされた脚部４の部分拡大図、である。
【００２７】
まず、図４に示すように、各脚部４の基軸部４０３は、バーナー本体２の下方部分に形成された上下に延設された筒状の取り付け孔１０に挿通されている。基軸部４０３の上端部分には、該上端部に固着されたリング状のストッパー４０５が設けられている。このストッパー４０５の下面に当接するようにスプリング９が介装されている。このスプリング９は基軸部４０３（脚部４）を上方に付勢している。
【００２８】
図５は、脚部４が最上端位置（図４（Ａ）に対応する位置）で回動不能状態となった様子を表している。このとき、脚部４の基軸部４０３下方の周壁から左右に突設された一対の凸耳部４０４が、取り付け孔１０の下端部に形成された溝部１０ａに係止され、脚部４が回動できない状態で固定されている。
【００２９】
一方、図６は、脚部４の基軸部４０３を図４（Ｂ）において符号Ｚで示される矢印に一致する下方側に押圧するか、脚部４のいずれかの部分を把持して矢印Ｚ側に引き下げるかしてスライドさせることによって、脚部４の凸耳部４０４は取り付け孔１０に形成された溝部１０ａから外れて、係止状態が解放される。その結果、脚部４は、図６の矢印Ｍに示す方向に回動可能な状態となる。なお、図６の状態は、図４（Ｂ）の状態に対応している。
【００３０】
ここで、図７は、脚部４の凸耳部４０４の上端部４０４ａがバーナー本体２の下方壁面２ａに付勢当接している様子を簡略に示す図である。
【００３１】
脚部４は、凸耳部４０４を溝部１０ａから外して回動（図６の矢印Ｍ参照）させると脚部４の回動可能状態を維持できる。それとともに、凸耳部４０４の上端部４０４ａが、スプリング９の付勢力（図７の矢印Ｓ方向へ脚部４を引き上げる力）によってバーナー本体２の下方壁面２ａに当接し、脚部４の動きを制限する。
【００３２】
即ち、この構成によって、脚部４を円滑に回動させて収束させることができるとともに、脚部４を一旦収束させると、スプリング９の付勢力によって脚部４の位置が固定され、収束状態を保持することができる。
【００３３】
なお、本発明に係る燃焼器具１では、脚部４が、回動不能状態と回動可能状態のいずれかを自在に選択できる構成であればよく、上記実施形態の構成に限定するものではない。
【００３４】
ここで、図８は、脚部４，４，４，４が収束された状態の燃焼器具１を上方から見た平面図である。上記構成により、各脚部４が回動可能状態とされると、各脚部４はバーナー本体２の側方側へ突設されたレバー５の周辺にまとめられ、ほぼ一塊りの部材集合体を作ることができる。
【００３５】
具体的には、レバー５の近傍に配設された二本の脚部４，４は、図８に示す矢印Ｘ方向にそれぞれ回動し、レバー５に近接する位置Ｐ1，Ｐ1に収束される。そして、レバー５からより離間した位置で固定されている二本の脚部４，４は、図８に示す矢印Ｙ方向にそれぞれ回動して、前記位置Ｐ1，Ｐ1よりやや外側位置Ｐ2，Ｐ2に収束される。
【００３６】
図８に示された状態の燃焼器具１では、バーナー本体２の側方側に突き出ているすべての部材、即ち、脚部４，４，４，４及びレバー５が、ほぼ同じ位置に収束され、燃焼器具１のコンパクト化に寄与し、収納性を向上させる。
【００３７】
【発明の効果】
本発明に係る燃焼器具によって奏される主な効果は、次の通りである。
【００３８】
（１）燃焼器具に備わる脚部をバーナー本体回りに回動させることによって、各脚部を所定箇所に収束できるようにしたことから、燃焼器具全体をコンパクトにできる。このため、燃焼器具をザックやバッグの中に収納し易くできる。
【００３９】
（２）燃焼器具の脚部を、前記バーナー本体側方に突設された気化燃料量調整レバーの周辺位置に収束可能とできるようにすることによって、バーナー本体から突き出ているすべての部材を一カ所にまとめることができ、燃焼器具をよりコンパクトな収納形態とすることができる。
【００４０】
（３）燃焼器具の脚部を、バーナー本体を保持する場合の回動不能状態と、該脚部を収束させる場合の回動可能状態と、を自在に選択できるので、調理中に脚部の位置が動いてしまって、加熱容器の湯や調理物がこぼれてしまうおそれがなく、火傷を負うおそれもない。
【００４１】
（４）燃焼器具に備わる脚部に収納に適した収束機能を付加することによって、アウトドアでのキャンプなどに適したコンパクトな燃焼器具を提供することができる。
【図面の簡単な説明】
【図１】本発明に係る燃焼器具（１）の使用状態を示す全体斜視図
【図２】同燃焼器具（１）の側面図
【図３】同燃焼器具（１）を上方から見た時の平面図
【図４】（Ａ）同燃焼器具（１）の脚部（４）の回動不能状態を示す図
（Ｂ）同脚部（４）の回動可能状態を示す図
【図５】（Ａ）回動不能状態の脚部（４）周辺の一部を断面化して見た部分側面図
（Ｂ）脚部（４）の取り付け孔（１０）の上方から見た同脚部（４）の部分断面図
【図６】回動可能状態とされた脚部（４）の部分側面図
【図７】脚部４の凸耳部（４０４）の上端部（４０４ａ）がバーナー本体（２）の下方壁面（２ａ）に付勢当接している様子を簡略に示す図
【図８】各脚部（４）が収束された状態の燃焼器具（１）を上方から見た平面図
【符号の説明】
１  燃焼器具
２  バーナー本体
３  バーナーヘッド部
４，４，４，４  脚部
５  レバー（気化燃料量調整レバー）
９  スプリング（弾性部材）
４０３  （脚部４の）基軸部
４０４、４０４  凸耳部
Ｃ  加熱対象の容器（クッカ−等）
Ｍ  （脚部４の）回動方向
Ｐ（Ｐ1，Ｐ2，Ｐ3，Ｐ4）  脚部の収束位置
Ｚ  下方側方向
【図１】
0004558971.tif 000002
【図２】
0004558971.tif 000003
【図３】
0004558971.tif 000004
【図４】
0004558971.tif 000005
【図５】
0004558971.tif 000006
【図６】
0004558971.tif 000007
【図７】
0004558971.tif 000008
【図８】
0004558971.tif 000009